【手続補正書】
【提出日】平成15年8月22日(2003.8.22)
【手続補正１】
【補正対象書類名】明細書
【補正対象項目名】特許請求の範囲
【補正方法】変更
【補正の内容】
【特許請求の範囲】
【請求項１】
装置本体に電子メールを送受信する機能を備え、音声／非電話モード、パケット通信モード、前記音声／非電話モード及び前記パケット通信モードの両方に遷移自在である同時待ち受けモードの３つのモードを有する携帯電子メール電話機であって、
カーソルを発生するカーソル発生手段と、
当該カーソルが表示される表示手段と、
前記表示手段内のカーソルを操作でき、使用者が装置本体を保持した際に、指で操作可能な領域に配置された少なくとも１つのカーソル操作手段と、
前記カーソル操作手段の操作に基づいて前記表示手段内のカーソルを移動する制御手段と、
を具備することを特徴とする携帯電子メール電話機。
【請求項２】
電子メール送信先からの電子メール到着の通知がされた際に、
当該通知と同時に又は通知の後に、当該電子メール送信先に自動接続し、送信された電子メールの自動受信を行い、自動受信終了後に前記電子メール送信先と自動切断する手段と、
当該電子メールを自動受信した旨を使用者に通知する手段と、
を更に備えることを特徴とする請求項１に記載の携帯電子メール電話機。
【請求項３】
前記カーソル操作手段の操作に基づいて前記移動したカーソル上の情報を確定する手段を更に備えることを特徴とする請求項２に記載の携帯電子メール電話機。
【請求項４】
前記カーソル操作手段は回動機構、かつ、押下機構の２つの機構を有するように構成されることを特徴とする請求項３に記載の携帯電子メール電話機。
【請求項５】
前記装置本体には、開閉自在に接続されたフタ体を更に設け、このフタ体の開位置では、前記表示手段の全部を露出し、前記フタ体の閉位置では前記表示手段の一部を覆うことを特徴とする請求項４に記載の携帯電子メール電話機。
【請求項６】
前記装置本体は、前記フタ体の開閉動作に応じて電子メール機能の起動、並びに、前記パケット通信モード又は前記音声／非電話モードの非電話モードへの遷移を制御する手段を更に備えることを特徴とする請求項５に記載の携帯電子メール電話機。
【請求項７】
前記同時待ち受けモード時又は音声／非電話モード時において、
前記電子メール到着の通知がされた際に、前記フタ体の開閉動作に応じて、当該電子メール送信先に自動接続し、送信された電子メールの自動受信を行い、自動受信終了後に前記電子メール送信先と自動切断する手段を更に備えることを特徴とする請求項５に記載の携帯電子メール電話機。
【請求項８】
前記装置本体は、装置本体に特定の機能を付加するためのソフトウェアが格納された着脱自在なメモリを更に備えることを特徴とする請求項６に記載の携帯電子メール電話機。
【請求項９】
前記装置本体は、話者の音声を記録する音声録音用の着脱自在なメモリを更に備えることを特徴とする請求項８に記載の携帯電子メール電話機。
【請求項１０】
前記装置本体は、赤外線を使用してデータの送受信を行う赤外線通信手段を更に備えることを特徴とする請求項９に記載の携帯電子メール電話機。
【請求項１１】
装置本体に電子メールを送受信する機能を備え、音声／非電話モード、パケット通信モード、パケット待ち受けモード、前記音声／非電話モード及び前記パケット通信モードの両方に遷移自在である同時待ち受けモードの４つのモードを有する携帯電子メール電話機であって、
少なくとも１つの選択操作手段と、
選択に供せられる情報を表示するための表示手段と、
前記選択操作手段を操作することにより前記選択に供せられる情報を前記表示手段に表示させる制御手段と、
前記表示手段に表示された情報から所望の情報を選択的に入力するための選択情報入力手段と、
を具備することを特徴とする携帯電子メール電話機。
【請求項１２】
電子メール送信先からの電子メール到着通知がされた際に、
当該通知と同時に又は通知の後に、当該電子メール送信先に自動接続し送信された電子メールの自動受信を行い、自動受信終了後に前記電子メール送信先と自動切断する手段と、
当該電子メールを自動受信した旨を使用者に通知する手段と、
を更に備えることを特徴とする請求項１１に記載の携帯電子メール電話機。
【請求項１３】
前記情報又はこれらの組み合わせである情報列を検索キーとして変換候補情報を記憶する辞書メモリと、
前記選択操作手段により選択された情報又は情報列に基づいて、前記辞書メモリを参照して選択された情報又は情報列を変換候補情報に変換する変換手段と、
を更に備えることを特徴とする請求項１２に記載の携帯電子メール電話機。
【請求項１４】
前記選択操作手段の操作に基づいて前記変換手段を起動し、その操作量に対応する変換候補情報を選択する手段を更に備えることを特徴とする請求項１３に記載の携帯電子メール電話機。
【請求項１５】
前記選択操作手段は回動機構、かつ、押下機構の２つの機構を有するように構成されることを特徴とする請求項１４に記載の携帯電子メール電話機。
【請求項１６】
前記装置本体には、開閉自在に接続されたフタ体を更に設け、このフタ体の開位置では、前記表示手段の全部を露出し、前記フタ体の閉位置では前記表示手段の一部を覆うことを特徴とする請求項１５に記載の携帯電子メール電話機。
【請求項１７】
前記装置本体は、前記フタ体の開閉動作に応じて電子メール機能の起動、並びに、前記パケット通信モード又は前記音声／非電話モードの非電話モードへの遷移を制御する手段を更に備えることを特徴とする請求項１６に記載の携帯電子メール電話機。
【請求項１８】
前記同時待ち受けモード時又は音声／非電話モード時において、
前記電子メール到着の通知がされた際に、前記フタ体の開閉に応じて、当該電子メール送信先に自動接続し、送信された電子メールの自動受信を行い、自動受信終了後に前記電子メール送信先と自動切断する手段を更に備えることを特徴とする請求項１６に記載の携帯電子メール電話機。
【請求項１９】
前記装置本体は、装置本体に特定の機能を付加するためのソフトウェアが格納された着脱自在なメモリを更に備えることを特徴とする請求項１７に記載の携帯電子メール電話機。
【請求項２０】
前記装置本体は、話者の音声を記録する音声録音用の着脱自在なメモリを更に備えることを特徴とする請求項１９に記載の携帯電子メール電話機。
【請求項２１】
前記装置本体は、赤外線を使用してデータの送受信を行う赤外線通信手段を更に備えることを特徴とする請求項２０に記載の携帯電子メール電話機。
【手続補正２】
【補正対象書類名】明細書
【補正対象項目名】００１１
【補正方法】変更
【補正の内容】
【００１１】
また、装置本体に電子メールを送受信する機能を備え、音声／非電話モード、パケット通信モード、パケット待ち受けモード、前記音声／非電話モード及び前記パケット通信モードの両方に遷移自在である同時待ち受けモードの４つのモードを有する携帯電子メール電話機であって、少なくとも１つの選択操作手段と、
選択に供せられる情報を表示するための表示手段と、前記選択操作手段を操作することにより前記選択に供せられる情報を前記表示手段に表示させる制御手段と、前記表示手段に表示された情報から所望の情報を選択的に入力するための選択情報入力手段と、を具備することを特徴とするものである。


【手続補正３】
【補正対象書類名】明細書
【補正対象項目名】００１５
【補正方法】変更
【補正の内容】
【００１５】
また、本実施形態例の携帯電子メール電話機は、音声／非電話モード、パケット通信モード、パケットモード、及び、同時待ち受けモードの４つのモードを有している。音声／非電話モードの音声モードでは、音声及びみなし音声での通信を行い、音声／非電話モードの非電話モードでは、例えば回線制御の９６００ｂｐｓの速度で、データ、ＦＡＸ通信を行う。又、パケット通信モードにおいては例えばパケット制御の最大２８．８ｋｂｐｓの速度で、インターネット接続等を行う。同時待ち受けモードにおいては、音声等の着信があれば音声／非電話モードに遷移し、パケット着信があればパケット通信モードに遷移する。


【手続補正４】
【補正対象書類名】明細書
【補正対象項目名】００２６
【補正方法】変更
【補正の内容】
【００２６】
また、音声の録音を長時間行いたい時は、大容量の留守録用フラッシュメモリ４を使って大容量留守録ができる。即ち、携帯電話の留守録機能を使って、ボイスメールのように使うこともできる。また、メールやデータを多く保存したいユーザは、大容量のフラッシュメモリ４を使用すれば良いし、このフラッシュメモリ４の容量が一杯になるか、あるいは、パソコン等にデータを移動させたいときは、ＩｒＤＡ（Ｉｎｆｒａｒｅｄ  Ｄａｔａ  Ａｓｓｏｃｉａｔｉｏｎ）ｉ／ｆによりデータを転送することもできる。なお、装置本体１００には、電源が入ったときに、このアプリケーション用フラッシュメモリ４を認識，動作するプラグ＆プレイを備えている。


【手続補正５】
【補正対象書類名】明細書
【補正対象項目名】００５０
【補正方法】変更
【補正の内容】
【００５０】
本実施形態例の携帯電子メール電話機では、例えば図１２に示すように、「同時待ち受けモード」から、パケット通信呼び出しにより「パケット通信モード」へ遷移する。一方、「同時待ち受けモード」から音声発着信により「音声／非電話モード」に遷移し、音声通話や終話を行う。また、「パケット通信モード」又は「パケット待ち受けモード」中に音声呼び出しが有った場合は「音声／非電話モード」に遷移し、音声通話や終話を行う。


【手続補正６】
【補正対象書類名】明細書
【補正対象項目名】００５４
【補正方法】変更
【補正の内容】
【００５４】
また、図１３が示すように、同時待ち受けモード時に、メール到着をプロバイダから報知（Ｓ１）してもらい、フリッパ２を開けて（Ｓ２）、パケット通信モード又は非電話モードへ遷移し、プロバイダにダイヤルアップをし（Ｓ３）、受信メールを取りに行く（Ｓ４）ようにしてもよい。


【手続補正７】
【補正対象書類名】図面
【補正対象項目名】図１２
【補正方法】変更
【補正の内容】
【図１２】
1998224288.tif 000001